(57)【要約】【課題】容量毎に一つの外箱で全てのタイプの電力用変圧器に対応できるようにすることで、外箱に錆が発生したとき等には、外箱のみを替えて、鉄心・コイル巻線等の内部部品から成るコア部をそのまま使用できるようにし、これによりコストダウン等を図ることができる、調整式固定機構を備えた電力用変圧器の汎用交換外箱を提供する。【解決手段】本発明は、電力用変圧器の鉄心・コイル巻線等の内部部品から成るコアＰ部を固定する調整式固定機構２を備えた電力用変圧器の汎用交換外箱１であって、調整式固定機構２は、横方向にスライド可能な一対の挟持片１３を備えて、コア部Ｐを載置して固定する振れ止め用台座３と、コア部Ｐの上部を、所定の長さのスペーサ７を介して内壁にネジ止め固定するよう、縦方向に複数のネジ孔４Ａを列設して成る上部振れ止め座４により形成されている。【選択図】図２
2006196759.tif 000002
【特許請求の範囲】
【請求項１】
電力用変圧器の鉄心・コイル巻線等の内部部品から成るコア部を固定する調整式固定機構を備えた電力用変圧器の汎用交換外箱であって、調整式固定機構は、横方向にスライド可能な一対の挟持片を備えて、コア部を載置して固定する振れ止め用台座と、コア部の上部を、所定の長さのスペーサを介して内壁にネジ止め固定するよう、縦方向に複数のネジ孔を列設して成る上部振れ止め座により形成されていることを特徴とする調整式固定機構を備えた電力用変圧器の汎用交換外箱。
【請求項２】
上部振れ止め座のネジ孔に対するコア部の取り付け位置に応じて、電力用変圧器のリード線を、内壁のブッシング側に足し線を介して接続可能にした請求項１に記載の調整式固定機構を備えた電力用変圧器の汎用交換外箱。
【発明の詳細な説明】
【技術分野】
【０００１】
本発明は、電力用変圧器の鉄心・コイル巻線等の内部部品から成るコア部を固定するための、調整式固定機構を備えた電力用変圧器の汎用交換外箱に関するものである。
【背景技術】
【０００２】
従来において、電力用変圧器は、鉄心・コイル巻線等の内部部品から成るコア部がタンク状の外箱内に絶縁油と共に収容され、鉄心やコイル巻線自体は、外箱の内部に設置された規定寸法構造による固定装置により固定されていた。
【０００３】
また、外箱には一次ブッシング及び二次ブッシングが貫通形成されており、鉄心・コイル巻線等の内部部品から成るコア部の一次側リード端子及び二次側リード端子を、この一次ブッシング及び二次ブッシングにそれぞれ接続可能としていた。
【特許文献１】特になし
【発明の開示】
【発明が解決しようとする課題】
【０００４】
そして、現状の電力用変圧器は、メーカーが異なると、或るいは、同じメーカーであっても製造年代が異なると、外箱の内部における鉄心やコイル巻線の取り付け位置も微妙に異なり、その統一性がないため、外箱を交換する修理ができなかった。
【０００５】
このため、従来の電力用変圧器は、鉄心やコイル巻線等の内部部品に劣化が殆ど無いにも拘わらず、外箱の錆びの発生が著しい場合は、当該外箱と共に、内部の鉄心やコイル巻線も不用品とされる場合が多かった。
【０００６】
そこで、本発明は如上のような従来存した諸事情に鑑み創出されたもので、容量毎に一つの外箱で全てのタイプの電力用変圧器に対応できるようにすることで、外箱に錆が発生したとき等には、外箱のみを替えて、鉄心・コイル巻線等の内部部品から成るコア部をそのまま使用できるようにし、これによりコストダウン等を図ることができる、調整式固定機構を備えた電力用変圧器の汎用交換外箱を提供することを目的とする。
【課題を解決するための手段】
【０００７】
本発明は、電力用変圧器の鉄心・コイル巻線等の内部部品から成るコア部を固定する調整式固定機構を備えた電力用変圧器の汎用交換外箱であって、調整式固定機構は、横方向にスライド可能な一対の挟持片を備えて、コア部を載置して固定する振れ止め用台座と、コア部の上部を、所定の長さのスペーサを介して内壁にネジ止め固定するよう、縦方向に複数のネジ孔を列設して成る上部振れ止め座により形成されていることで、上述した課題を解決した。
【０００８】
また、上部振れ止め座のネジ孔に対するコア部の取り付け位置に応じて、電力用変圧器のリード線を、内壁のブッシング側に足し線を介して接続可能にしたことで、同じく上述した課題を解決した。
【発明の効果】
【０００９】
本発明は以上のように構成されているために、容量毎に一つの外箱で全てのタイプのコア部Ｐに対応できるようにすることで、外箱に錆が発生したとき等は、外箱のみを替えて、内部のコア部Ｐをそのまま使用できるようにし、これによりコストダウン等を図ることができる。
【００１０】
これは本発明が、コア部Ｐを固定する調整式固定機構２を備えた電力用変圧器の汎用交換外箱１であって、調整式固定機構２は、横方向にスライド可能な一対の挟持片１３を備えて、コア部Ｐを載置して固定する振れ止め用台座３と、コア部Ｐの上部を、所定の長さのスペーサ７を介して内壁にネジ止め固定するよう、縦方向に複数のネジ孔４Ａを列設して成る上部振れ止め座４により形成されているからである。
【００１１】
具体的には、調整式固定機構２によって、外箱内でのコア部Ｐの上側及び下側における横振れを確実に防止できると共に、外箱交換修理に際し、振れ止め用台座３の一対の挟持片１３の幅調整、スペーサ７の長さ選択、上部振れ止め座４のネジ孔４Ａの選択それぞれによって、コア部Ｐを構成する鉄心やコイル巻線等の内部部品の構造上の違いがあっても、容量毎に一つの外箱で全てのタイプのコア部Ｐに対応できるのである。
【００１２】
このように、一つの外箱で種々のタイプのコア部Ｐに対応しているため、外箱に錆が発生したときには、外箱のみを交換して、内部のコア部Ｐをそのまま使用可能となるのである。すなわち、本発明により、外箱のみを替えて、内部のコア部Ｐの共通流用が可能となるのである。
【００１３】
また、上部振れ止め座４のネジ孔４Ａに対するコア部Ｐの取り付け位置に応じて、コア部Ｐの一次側リード線及び二次側リード線８を内壁の一次ブッシングＡＡ１及び二次ブッシング９側に足し線５を介して接続可能にしたもので、上部振れ止め座４のネジ孔４Ａの選択により、一次ブッシングＡＡ１及び二次ブッシング９位置に対し一次側リード線及び二次側リード線８が届かなくなった場合でも、足し線５を介在させることによりコア部Ｐの一次側リード線及び二次側リード線８を内壁の一次ブッシングＡＡ１及び二次ブッシング９側に容易に接続することができる。
【発明を実施するための最良の形態】
【００１４】
以下に、本発明を実施するための最良の形態を、図面を参照して説明する。電力用変圧器の鉄心・コイル巻線等の内部部品から成る所定のコア部Ｐは、図１・図２に示すように、絶縁油を充填可能にして共用化された円筒型タンク状の汎用交換外箱１の内部に設置される。この汎用交換外箱１の内部には、鉄心やコイル巻線等の内部部品から成るコア部Ｐを固定するために、調整式固定機構２を備えている。
【００１５】
この調整式固定機構２は、汎用交換外箱１の内底部に備えた振れ止め用台座３と、汎用交換外箱１の略中央内壁に備えた上部振れ止め座４とにより形成されている。
【００１６】
振れ止め用台座３は、図３（ａ）（ｂ）・図４・図９に示すように、汎用交換外箱１の内底部に溶接して固定された矩形枠状の台座振れ止め１８内において、外周の起立枠部３Ａにより中央面が若干浮いた状態で配置され、この中央面の左右対称位置には、それぞれ二つのネジ挿通孔１１が設けられている。そして、これら二つのネジ挿通孔１１に対応して、それぞれ二つの長孔１２を備えた略Ｌ字型の左右一対の挟持片１３を備え、ネジ挿通孔１１と長孔１２とにボルト１４のネジ部を貫通させ、反対側から突出させたネジ部にナット１５をねじ込むことで、振れ止め用台座３に対し、両挟持片１３が横方向の任意の位置でスライド固定される。
【００１７】
また、図３（ａ）に示すように、この振れ止め用台座３の略中央位置には、エアー抜き用の円形状の孔部６を設けてあり、絶縁油が充填された状態において、振れ止め用台座３の下面側におけるエアー溜まりの発生を未然に防止している。
【００１８】
汎用交換外箱１内へのコア部Ｐの取り付けに際しては、ボルト１４とナット１５を一旦緩めておいてから、長孔１２に沿って挟持片１３のそれぞれを、コア部Ｐの下側の幅員に合わせて、拡幅方向もしくは狭幅方向に互いにスライド移動させてボルト１４とナット１５を締め付ける。そして、コア部Ｐの下部両側面を左右一対の挟持片１３のＬ字の一端側で挟み込むことで、コア部Ｐは振れ止め用台座３上でしっかりと固定される。尚、挟持片１３は、図４・図９に示すように、長孔１２を備えた方形状の板部分と、板部分の一端から上方に向けて折曲した起立片部分により略Ｌ字型に形成されているが、これに限定されることはなく、コア部Ｐを固定できるものであれば、どのような形状であっても差し支えない。
【００１９】
上部振れ止め座４は、図５・図６に示すように、汎用交換外箱１の内壁において、縦長矩形状に突出形成した肉厚部分の前面縦方向に沿って、複数のネジ孔４Ａを列設して形成されている。この上部振れ止め座４は、汎用交換外箱１の内壁の略中央部において、対向する２個所に設けられている。一方、コア部Ｐの上部においては、横向きで両端部が外方向に突出するように振れ止め枠部１６が取り付けられている。この振れ止め枠部１６は、その両端部が若干上向きに折曲され、それぞれの上向き片１６Ｂにネジ挿通孔１１を設けている。そして、振れ止め枠部１６の上向き片１６Ｂと上部振れ止め座４の間に所定の長さの円筒状のスペーサ７を配置し、振れ止め枠部１６の上向き片１６Ｂと上部振れ止め座４をボルト１４でネジ止め固定するのである。
【００２０】
汎用交換外箱１内へコア部Ｐを取り付ける際は、図６に示すように、振れ止め枠部１６の上向き片１６Ｂに設けたネジ挿通孔１１を、上部振れ止め座４とコア部Ｐとの間隔に対応したスペーサ７を介して、上部振れ止め座４の縦方向に列設したネジ孔４Ａのうち、コア部Ｐの高さに対応したネジ孔４Ａの一つに合致させる。そして、振れ止め枠部１６の上向き片１６Ｂのネジ挿通孔１１の外側からスペーサ７内にボルト１４を挿通し、合致させているネジ孔４Ａにねじ込むことで、上部振れ止め座４に対しコア部Ｐの上部が横振れ防止状態となってしっかりとネジ止め固定される。
【００２１】
また、汎用交換外箱１の上側寄り内壁には、外部の一次側電線に接続された絶縁構造の一次ブッシングＡＡ１と、外部の二次側電線に接続された絶縁構造の二次ブッシング９とが配設され、汎用交換外箱１内の振れ止め用台座３上に載置して固定されたコア部Ｐの一次側リード線８を一次ブッシングＡＡ１側に接続し、且つコア部Ｐの二次側リード線８を二次ブッシング９側に接続してある。
【００２２】
このとき、図７・図８に示すように、上部振れ止め座４のネジ孔４Ａに対するコア部Ｐの取り付け高さが低く、両リード線８が一次ブッシングＡＡ１及び二次ブッシング９に届かない場合には、コア部Ｐの両リード線８は、足し線５を介して外箱の内壁の一次ブッシングＡＡ１及び二次ブッシング９に接続される。また、リード線８は、図８に示すように、タップ台ＡＡ４のボルト部分に、足し線５を介して接続される。この足し線５は、環状部分に短いリード線が圧着されており、足し線５の環状部分は、タップ台ＡＡ４のボルト部分に、ワッシャＡＡ５を介したナット１５により接続される。そして、足し線５のリード線は、圧着端子ＡＡ３を介して一次ブッシングＡＡ１のリード線８に接続される。
【００２３】
その後、汎用交換外箱１内には絶縁油が注油され、真空引きを行ってから、接着剤によるカバーパッキング貼りの後、上部開口側を上蓋１７により閉塞し、アイボルト付上蓋締付金具１９により固定する。
【００２４】
次に、交換を必要とする電力用変圧器の外箱について説明する。まず、錆等により外観不良の生じている電力用変圧器を選別する。この不良と判断された電力用変圧器は、内部から鉄心やコイル巻線等より構成されたコア部Ｐを取り出し、コア部Ｐを新しい汎用交換外箱１に収容する。古い電力用変圧器の外箱は、二次利用としてリサイクル使用される。
【００２５】
汎用交換外箱１は、数種類の大きさのコア部Ｐに対応させるため、対応したいコア部Ｐの最大値にあわせて製作する。尚、コア部Ｐの大きさが大きく異なる場合は、汎用交換外箱１を複数用意する。
【００２６】
次に、汎用交換外箱１の交換の手順を詳述する。
【００２７】
（共用化外箱整備）
汎用交換外箱１を共用化して使用するための前提として、例えば、塗装状態、歪み変形状態、一次ブッシングＡＡ１及び二次ブッシング９取付面の平坦度等の確認が行われ、内部の清掃等の必要な整備を行う。
【００２８】
（コア部の確認）
電力用変圧器のアイボルト付上蓋締付金具１９を緩めて上蓋１７を外し、電力用変圧器の内部から絶縁油を抜いてから全ての端子間の導通チェックを行う。
【００２９】
（旧外箱からの中身の吊り出し）
図８に示すように、一次ブッシングＡＡ１のリード線８をタップ台ＡＡ４から外し、一次ブッシングＡＡ１の金具のボルト１４を緩めて該金具を取り外し、一次ブッシングＡＡ１を取り外す。また、二次ブッシング９のナット１５を取り外し、二次側リード線８を二次ブッシング９から取り外す。そして、二次ブッシング９の金具のボルト１４を緩めて該金具を取り出し、二次ブッシング９を取り外す。
【００３０】
上部振れ止め座４からボルト１４を外してコア部Ｐの振れ止め枠部１６を取り外し、電力用変圧器内からコア部Ｐを吊り出す。そして、コア部Ｐの内部部品の点検整備を行い、新しい汎用交換外箱１内へのコア部Ｐの取り付けを行う。
【００３１】
（中身入れ）
この汎用交換外箱１内へコア部Ｐを取り付ける際は、図３・図４に示すように、ボルト１４とナット１５を一旦緩めておいてから、長孔１２に沿って一対の挟持片１３のそれぞれを、コア部Ｐの下側の幅員に合わせて、拡幅方向もしくは狭幅方向に互いにスライド移動させる。そして、振れ止め用台座３上に取り付けられるコア部Ｐの外壁面が、汎用交換外箱１の内壁に接触せず、しかも、左右間隔が均等となるように一対の挟持片１３を中心から等距離に配置させて、ボルト１４とナット１５を締め付ける。その後、コア部Ｐの下部の両側面を左右一対の挟持片１３のＬ字一端側で挟み込むことで、当該コア部Ｐは振れ止め用台座３上でしっかりと保持固定される。
【００３２】
また、図５・図６に示すように、コア部Ｐの振れ止め枠部１６における上向き片１６Ｂに設けたネジ挿通孔１１を、上部振れ止め座４とコア部Ｐ上部との間隔に対応した長さに切断されて成るスペーサ７を介して、上部振れ止め座４の縦方向に列設したネジ孔４Ａのうち、コア部Ｐの高さに対応したネジ孔４Ａの一つに合致させる。そして、振れ止め枠部１６の上向き片１６Ｂのネジ挿通孔１１の外側からスペーサ７内にボルト１４を挿通し、合致させているネジ孔４Ａにねじ込むことで、上部振れ止め座４に対しコア部Ｐの上部が横振れ防止状態となってしっかりとネジ止め固定される。
【００３３】
コア部Ｐの振れ止め枠部１６に耐雷素子金具を取り付け、ボルトにて規定位置に固定する。
【００３４】
（ブッシング洗浄・取付）
そして、一次ブッシングＡＡ１及び二次ブッシング９を洗浄液で清掃し、ブッシングにパッキングを挿入してから、ブッシングをエアードライバーで締め付け、さらにトルクドライバーで締め付ける。
【００３５】
（リード線接続・内部点検）
一次リード線８をタップ台ＡＡ４に、二次リード線８をブッシング９のタップ碍子に接続する。このとき、図７に示すように、上部振れ止め座４のネジ孔４Ａに対するコア部Ｐの取り付け高さが低く、一次側リード線がタップ台ＡＡ４に、又は二次側リード線が二次ブッシング９に届かない場合には、コア部Ｐの両リード線８は、銅製の足し線５を介して外箱内壁の両ブッシングに接続される。
【００３６】
（注油・真空引き）
注油装置により汎用交換外箱１内に規定面まで絶縁油を充填する。真空装置で、例えば、１３３３Ｐａ以下、２分間だけ真空引きを行う。そして、注油状態を確認し、銘板取付、カバーパッキン貼付の後、上蓋１７を被せて固定する。
【産業上の利用可能性】
【００３７】
本発明に係る調整式固定機構を備えた電力用変圧器の汎用交換外箱１は、容量毎に一つの外箱で全てのタイプのコア部Ｐに対応できるようにすることで、外箱に錆が発生したとき等には、外箱のみを替えて、内部のコア部Ｐをそのまま使用できることとなり、コア部Ｐの有効な利用を実現するものとして、広く使用されるものである。
【図面の簡単な説明】
【００３８】
【図１】コア部を内部に取り付けた状態の汎用交換外箱の一部切欠斜視図である。
【図２】コア部を内部に取り付けた状態の汎用交換外箱の一部切欠側面図である。
【図３】汎用交換外箱内の振れ止め用台座の構成を示し、（ａ）は平面図、（ｂ）は（ａ）中のＸ−Ｘ部分の断面図である。
【図４】汎用交換外箱内の振れ止め用台座の構成を示す斜視図である。
【図５】上部振れ止め座の配置例を示す側面図である。
【図６】上部振れ止め座の配置例を示す分解斜視図である。
【図７】汎用交換外箱内の足し線の配置例を示す分解斜視図である。
【図８】一次ブッシングのリード線とタップ台との接続状態を説明した分解斜視図である。
【図９】汎用交換外箱内の振れ止め用台座の構成を示す分解斜視図である。
【符号の説明】
【００３９】
Ｐ…コア部
１…汎用交換外箱
２…調整式固定機構
３…振れ止め用台座
３Ａ…起立枠部
４…上部振れ止め座
４Ａ…ネジ孔
５…足し線
６…孔部
７…スペーサ
８…リード線
ＡＡ１…一次ブッシング
９…二次ブッシング
ＡＡ４…タップ台
１１…ネジ挿通孔
１２…長孔
１３…挟持片
ＡＡ３…圧着端子
１４…ボルト
１５…ナット
ＡＡ５…ワッシャ
１６…振れ止め枠部
１６Ｂ…上向き片
１７…上蓋
１８…台座振れ止め
１９…アイボルト付上蓋締付金具
【図１】
2006196759.tif 000003
【図２】
2006196759.tif 000004
【図３】
2006196759.tif 000005
【図４】
2006196759.tif 000006
【図５】
2006196759.tif 000007
【図６】
2006196759.tif 000008
【図７】
2006196759.tif 000009
【図８】
2006196759.tif 000010
【図９】
2006196759.tif 000011